(57)【特許請求の範囲】
【請求項１】
海底でも安定し易い多角形の基盤と、その中央に立つ単一のセンター凸部とをコーラルの粉や粒と白セメントを水で練って一体に成型した、潜水士一人で扱える重量と大きさの単位ブロックであり、
前記基盤の各辺には隣接する基盤同士を連結するための連結手段を有しており、基盤の形状的に尖っていて強度の弱い角部を無くして、隣接する基盤同士を連結したときに魚介類が上下動する貫通孔を形成できる形状としてあること、
前記センター凸部の上面中央と基盤の底面中央には、上下方向に連結するための有底穴を形成して、ワンタッチで連結し積層できるように、前記有底穴に挿入される合成樹脂製の連結棒を有しており、その下半分は、下向きには挿入し易く、上向きには抜きにくい、一方向性の形状になっており、また、連結棒の上半分は、上向きには挿入し易く、下向きには抜きにくい、一方向性の形状になっている構造であること、
ブロック表面に、天然の岩や石に似た多数の小凹凸を形成し、かつブロックを成型し養生した後に土を洗い落とすことで巣を形成してあること、
を特徴とする漁礁ブロック。
【請求項２】
前記基盤の各辺には、メネジ孔又は連結ボルトが貫通する孔を開けた金属板を有し、該金属板の裏側には、ボルト操作用の凹部を有していることを特徴とする請求項１に記載の漁礁ブロック。
【請求項３】
前記漁礁ブロックを海底に設置し組立てた際に、波浪で移動しないように、要所を海底に固定するためのアンカーを前記基盤に取付けてなることを特徴とする請求項１又は請求項２に記載の漁礁ブロック。
【発明の詳細な説明】
【技術分野】
【０００１】
本発明は、海中用の漁礁ブロック、特に一人の潜水士でも海中で容易に連結組立てが可能で、藻や海藻が生育し易くより自然に近く魚類が警戒しない漁礁ブロックに関する。
【背景技術】
【０００２】
漁礁用のブロックとして、空洞の有る古タイヤを利用する技術が知られているが、タイヤがゴム製のため藻や海藻が育ちにくく、漁礁には適しない、ということが分かった。そのため、古タイヤの海洋放棄につながり、環境破壊を来たし、好ましくない。
一方、特許文献１のように、河川や湖沼の水辺岸辺における法面を保護し、水の浄化を図ると共に魚介類、水生昆虫、甲殻類などの棲息、産卵に適した護岸を形成するためのブロックおよび護岸を提供するべく、板状ブロックの片面に複数個の突起部を偶数列千鳥状に並列させて配設すると共にそれら突起部の間に一列毎に貫通孔を上記突起部の間に交互に配設し、しかも上記板状ブロック１段毎に平面的に１８０°回転させて多段に段重ねしボルト等で連結一体化する構造が提案されている。
【先行技術文献】
【特許文献】
【０００３】
【特許文献１】特開平８−199532号
【発明の概要】
【発明が解決しようとする課題】
【０００４】
特許文献１のようなブロック構造では、河川や湖沼の水辺岸辺における法面を保護する上では有効であるが、大型なため、重機などを利用できない海中では適用できない。加えて、藻や海藻が育ち易く、魚介類が警戒せず自然な環境で生育するような工夫がなされていない。
本発明の技術的課題は、このような問題に着目し、海中で一人の潜水士でも容易に、かつ現場の地形などに応じて臨機応変に組立てることができ、しかも魚介類などの動物が警戒せず、また藻や海藻が育ち易い構造を実現する。
【課題を解決するための手段】
【０００５】
請求項１に記載の漁礁ブロックは、海底でも安定し易い多角形の基盤と、その中央に立つ単一のセンター凸部とをコーラルの粉や粒と白セメントを水で練って一体に成型した、潜水士一人で扱える重量と大きさの単位ブロックから成っている。そしてこの単位ブロックは、前記基盤の各辺には隣接する基盤同士を連結するための連結手段を有しており、基盤の形状的に尖っていて強度の弱い角部を無くして、隣接する基盤同士を連結したときに魚介類が上下動する貫通孔を形成できる形状にしてある。
しかも、前記センター凸部の上面中央と基盤の底面中央には、上下方向に連結するための有底穴を形成して、ワンタッチで連結し積層できるように、前記有底穴に挿入される合成樹脂製の連結棒を有しており、その下半分は、下向きには挿入し易く、上向きには抜きにくい、一方向性の形状になっており、また、連結棒の上半分は、上向きには挿入し易く、下向きには抜きにくい、一方向性の形状になっている。さらに、ブロック表面には、天然の岩や石に似た多数の小凹凸を形成し、かつブロックを成型し養生した後に土を洗い落とすことで巣を形成してある。
【０００６】
請求項２は、請求項１に記載の基盤の各辺には、メネジ孔又は連結ボルトが貫通する孔を開けた金属板を有し、該金属板の裏側には、ボルト操作用の凹部を有している。
【０００７】
請求項３は、請求項１又は請求項２に記載の漁礁ブロックを海底に設置し組立てた際に、波浪で移動しないように、要所を海底に固定するためのアンカーを前記基盤に取付けてある。
【発明の効果】
【０００８】
請求項１のように、漁礁ブロックは、多角形の基盤を有しているので、水平方向に連結した状態では、海底でも安定し易い。また、その中央に立つセンター凸部が一体に成型されているので、センター凸部も海底でも安定し易い。
そして、前記基盤の各辺には、隣接する基盤同士を連結するための連結手段を有しており、基盤の形状的に尖っていて強度の弱い、各辺間の角部を無くしてある。従って、水平方向に多数連結した際に、角部を無くすことで、魚介類が上下動するための貫通孔が形成される。
前記センター凸部の上面中央と基盤の底面中央には、上下方向に連結するための有底穴を形成して、ワンタッチで連結し積層される構造であり、段落「0014」の末尾に明記のように、下段のセンター凸部２の上面中央の孔中に合成樹脂製の連結棒８の下半分８１を打ち込んだ後に、上段のブロックを降ろして、上段の基盤１の底面中央の孔に、残った上半分８２を位置合わせしてから、上段のブロックを下降させるだけで、その自重で入り込む。結局、ワンタッチで連結されるので、海中でブロックを連結して拡張していく場合に好都合である。
しかも潜水士一人で扱える重量と大きさであるから、単位ブロックを上下方向や面方向に組み合わせることで、海底の地形に応じた形状の漁礁を容易に、かつ臨機応変に組立てることができる。
さらに、コーラルの粉や粒と白セメントを水で練って一体に成型したものであるから、漁礁ブロック表面に、天然の岩や石に似た多数の小凹凸を形成し、かつブロックを成型し養生した後に土を洗い落とすことで巣を形成してあるので、藻や海藻が生えやすく、また魚介類などの警戒も防止できる。
【０００９】
請求項２のように、請求項１に記載の基盤の各辺には、メネジ孔又は連結ボルトが貫通する孔を開けた金属板を有しているので、ボルトを用いて水平方向の増設を容易に行なえる。しかも、該金属板の裏側には、ボルト操作用の凹部を有しているので、ボルトの回転も容易である。
【００１０】
請求項３のように、請求項１又は請求項２に記載の漁礁ブロックを海底に設置し組立てた際に、要所を海底に固定するためのアンカーを前記基盤に取付けてあるので、組立てられた漁礁ブロックが、波浪で移動したりする恐れはない。
【図面の簡単な説明】
【００１１】
【図１】連結状態の漁礁ブロックを示す斜視図である。
【図２】上下方向の連結構造を示す断面図である。
【図３】アンカーによる固定状態を示す断面図である。
【図４】漁礁ブロックを複数段かつ水平方向に連結した状態を示す正面図と平面図である。
【発明を実施するための形態】
【００１２】
次に本発明による漁礁ブロックが実際上どのように具体化されるか実施形態を詳述する。図１は連結状態の漁礁ブロックを示す斜視図である。１は海底でも安定し易い基盤であり、実施形態では正四角形をしている。この基盤１と一体に、センター凸部２が立っている。
ただし、上に他のブロックが積層されるセンター凸部２は全体が同一径で円柱状をしているのに対し、上に他のブロックが積層されないフリーのセンター凸部２’は、上側から荷重もかからないので円錐形で、次第に上寄りの径が小さくなっている。従って、海水が流れ易くなっている。
【００１３】
四角形の基盤１の各辺には、隣接する基盤１と連結するための連結手段を有している。この連結手段は、ボルトをネジ込むためのメネジ孔３であってもよいし、連結ボルトが貫通できる孔４を有する金属板５であってもよい。金属板５は、両端をＬ状に曲げた状態で基盤１中にインサートして固定してある。なお、金属板５の裏側に形成してある凹部６は、ボルト操作用のレンチを入れるためである。
各基盤１には、形状的に尖っていて強度の弱い角部を無くした跡の斜面７が残っている。従って、基盤１…を水平方向に連結して拡張すると、４つの斜面７…で四角い貫通孔７１が形成され、複数段に積層したときに魚介類が上下方向に移動したり、大きい魚に襲われたときに逃げ込むことができる。
なお、角部の切除量を多くすると、貫通孔７１が大きくなることは言うまでもない。
【００１４】
基盤１の底面の中央と、センター凸部２の上面の中央には、上下方向の連結手段を有している。つまり、複数段に積層したときの各層間の連結手段である。この連結手段は、上側の基盤を置いた際にワンタッチで連結される構造を採っている。図２は上下の連結部の断面図であり、合成樹脂製の連結棒８の下半分８１は、下向きには挿入し易く、上向きには抜きにくい、一方向性の形状になっている。また、連結棒８の上半分８２は、上向きには挿入し易く、下向きには抜きにくい、一方向性の形状になっている。
従って、下段のセンター凸部２の上面中央の孔中に合成樹脂製の連結棒８の下半分８１を打ち込んだ後に、上段のブロックを降ろして、上段の基盤１の底面中央の孔に、残った上半分８２を位置合わせしてから、上段のブロックを下降させるだけで、その自重で入り込む。
結局、ワンタッチで連結されるので、海中でブロックを連結して拡張していく場合に好都合である。
【００１５】
このように拡張しても、波浪で移動したりする恐れがあるので、図３のように、漁礁ブロックを海底に設置し組立てた際に、要所を海底に固定するためのアンカー９を備えている。すなわち、例えばアングル１０を利用し、その１辺を漁礁ブロックの要所に固定し、他の辺は、アンカー９を海底に打ち込んで固定する。
図４は、漁礁ブロックを組立てた例の正面図と平面図であり、フリーのセンター凸部２’が最上段に位置している。従って、外周は、２段止まりと言うことであり、これら以外は、センター凸部２の上面中央に連結手段を有するので、フリーのセンター凸部２’を有する漁礁ブロックを上段に連結して、拡張できる。
海底に設置する際は、図示のように、凸角部にも、引っ込んだ凹隅部にも、アングル１０を取付けて、アンカー９を海底に打ち込んで固定することにより、組立てた漁礁ブロックが波浪で移動しないようにしてある。
【００１６】
この漁礁ブロックは、天然の岩や石と似た構成とすることで、魚介類が警戒しないで、しかも藻や海藻類が生え易いようになっている。例えば、ブロック表面には、天然の岩や石のように多数の小凹凸を形成すべく、成型用の型にも小凹凸を設けてあり、かつ割り型にする。
加えて、型の成型面に赤土などをランダムに付着させ、ブロックを成型し養生した後に洗い落とすことで、天然の凹部や穴と同様な巣を形成することができ、藻や海藻の生育に寄与できる。
なお、漁礁ブロックを成型する材料は、沖縄のどこでも採取できるコーラルの粉や粒と白セメントを水で練って使用する。
【００１７】
本発明の単位ブロックを水平方向と上下方向に連結し拡張していくことで、海底の地形に応じた形状の漁礁を形成するが、この作業は重機を使用できないため、潜水士が潜って行なうことになる。そのため、20〜30Ｋｇ程度の重量であり、潜水士一人で扱える重量にしてある。
基盤１の直径方向の寸法は30ｃｍであり、全高さも30ｃｍであるから、潜水士一人で扱える大きさである。
【産業上の利用可能性】
【００１８】
以上のように、本発明の構成によると、海底でも安定し易い多角形の基盤と、その中央に立つセンター凸部とを一体に成型したブロック単位を、潜水士が海中に潜って水平方向や上下方向に連結し拡張する構成であるから、海底の地形などに応じて臨機応変に組立てることができる。しかも、基盤を水平方向に連結すると、魚介類が上下動する貫通孔を形成でき、また小凹凸や巣を有していて、魚介類が警戒せず、また藻や海藻が育ち易い構造を実現できる。
【符号の説明】
【００１９】
１  多角形の基盤
２・２’  センター凸部
３  メネジ孔
４  ボルト孔
５  金属板
６  凹部
７  斜面
71  貫通孔
８  連結棒
81  下半分
82  上半分
９  アンカー
10  アングル
【図１】
0005216124.tif 000002
【図２】
0005216124.tif 000003
【図３】
0005216124.tif 000004
【図４】
0005216124.tif 000005